(57)【要約】      （修正有）【課題】両手を使用せずに身体を支えた状態で安全に歩行または走行することができる補助装置を備えたルームランナーを提供する。【解決手段】エンドレスベルト４を支持する複数の支持ローラＲがフレーム本体２に所定間隔で回転自在に支持され、フレーム本体２の後方には背当部６及び腰当部８を備えた補助装置が一体的に設けられ、上記背当部６は、フレーム本体２の両側面に立設した支柱５ａ，５ｂ上部に高さ調整可能なホルダ２２と、ホルダ２２に上下に揺動可能に支持されたブラケット２４と、ブラケット２４の上下に水平方向に回転自在に近接支持された2本の弾性ローラ２５ａ，２５ｂとから成り、腰当部８は、後端側が支柱５ａ，５ｂの高さ方向略中間部位に取付けられて、先端側がフレーム本体２の幅方向に拡開するように揺動可能に取付けられた一対の腰当フレーム４２ａ，４２ｂを備える。【選択図】図１
0003114230.tif 000002
【実用新案登録請求の範囲】
【請求項１】
フレーム本体２のベルト走行部Ｓを前後方向に所定速度で移動するエンドレスベルト４の上面で使用者１０が歩行または走行するルームランナー１に於いて、上記ベルト走行部Sは、上記エンドレスベルト４を支持するための複数の支持ローラＲが上記フレーム本体２に所定間隔で回転自在に支持されるとともに、上記フレーム本体２の後方には、歩行または走行移動時に使用者１０の背中を支える背当部６及び使用者の腰部後面ないし側面を支える腰当部８を備えた補助装置が一体的に設けられ、上記背当部６は、上記フレーム本体２の両側面に立設した一対の支柱５ａ，５ｂの上部に高さ調整可能に取付けられたホルダ２２と、該ホルダ２２に所定角度の範囲で上下に揺動可能に支持軸に支持されたブラケット２４と、該ブラケット２４の上下に上記ベルト４の移動方向と直交する水平方向に回転自在に近接支持された２本の弾性ローラ２５ａ，２５ｂとから成り、上記腰当部８は、後端側が支柱５ａ，５ｂの高さ方向略中間部位に高さ調整可能に取付けられるとともに、上記使用者１０の前方側を向く先端側が上記フレーム本体２の幅方向に拡開するように水平面上で揺動可能に取付けられた一対の腰当フレーム４２ａ，４２ｂを備えて成り、上記腰当部８は、後端側が少なくとも上記使用者１０の腰部幅より狭い間隔になるよう構成されるとともに、上記先端側が上記使用者１０の腰部幅より広くなるように構成されることを特徴とする補助装置を備えたルームランナー。
【請求項２】
上記背当部６は、上記２本の弾性ローラ２５ａ，２５ｂを支持するブラケット２４が、上記ホルダ２２に対し上下に揺動する揺動端において衝撃を緩衝する衝撃緩衝手段３５を有していることを特徴とする請求項１記載の補助装置を備えたルームランナー。
【請求項３】
上記背当部６は、上記ブラケット２４が、上記ホルダ２２に対し上記使用者１０の前方側に向けて前後に移動可能に支持され、且つ上下に揺動する揺動角度が、上記ブラケット２４の前後位置における下面と対面する上記ホルダ２２の当接面との当接により調整可能に支持されていることを特徴とする請求項１または２に記載の補助装置を備えたルームランナー。
【請求項４】
上記フレーム本体２の前端側には一対の支柱１２ａ，１２ｂが立設保持されており、該支柱１２ａ，１２ｂの上部に支持台１４及び引出し１６付き支持台１５が使用者の略腹部前方に対向するように取付けられ、所定間隔をもって上下に調整可能に配置されていることを特徴とする請求項１記載の補助装置を備えたルームランナー。
【考案の詳細な説明】
【技術分野】
【０００１】
本考案は、補助装置を備えたルームランナーに係り、更に詳しくは、一般家庭の室内でも使用することができる補助装置を備えたルームランナーに関する。
【背景技術】
【０００２】
従来から使用されているルームランナーは、使用者が室内で歩行や走行を行うことで足、腰の鍛錬やリハビリなどを行う運動施設の１つとして公共のフィットネスクラブやジム、病院などの大型の建物内に設置されている。
【０００３】
この種のルームランナーは、所定速度で走行するベルト上に乗った使用者が所定のベルト移動速度に併せて歩行または走行できるように構成されている。ところが、特にリハビリなどを行う使用者や高齢者などは、限られたスペースのベルト上で歩行または走行を長時間継続して安定状態で行うことは必ずしも容易ではないことから、身体の態勢を安定状態に維持して歩行または走行を行うために手で身体を支えるハンドルを走行方向前方に立設したルームランナーが提案されている（特許文献１参照）。
【０００４】
このルームランナーは、ベルト走行方向前方に立設したハンドルと、当該ハンドルに連結されたフレームと、該フレームに回転可能に支持された複数の金属性のローラと、該ローラを取り囲んで配置された補強合成ゴム製のエンドレスベルトなどから構成されている。そして、上記のルームランナーを使用する使用者は、所定の走行速度で走行するエンドレスベルト上で走行または歩行を行う際には身体が後方に移動され易くなり、また身体のバランスを取るためにハンドルを両手で把持した態勢が終始維持されている。
【０００５】
【特許文献１】実用登録第３０２６６４５号公報
【考案の開示】
【考案が解決しようとする課題】
【０００６】
ところが、上記のルームランナーで長時間に亘ってハンドルを両手で身体を支えた状態で歩行または走行していると、両手が自由にならないだけでなく手が疲労する問題を有していた。
【０００７】
一方、上記のような公共の運動施設に設置されているルームランナーでは、使用時間に制限があるため、何時でも好きな時間に使用したり長時間使用することができない問題も有していることから、家庭などでも使用することができるルームランナーが望まれていたが、従来の大形サイズのルームランナーでは、家庭などの制限されたスペースでは設置するのが困難となる問題を有していた。
【０００８】
本考案は、このような問題点に着目してなされたもので、両手を使用せずに身体を支えた状態で安全に歩行または走行することができる補助装置を備えたルームランナーを提供することを目的とする。
【課題を解決するための手段】
【０００９】
上記目的を解決するために、本考案の請求項１に記載の補助装置を備えたルームランナー１は、フレーム本体２のベルト走行部Ｓを前後方向に所定速度で移動するエンドレスベルト４の上面で使用者１０が歩行または走行するルームランナー１に於いて、上記ベルト走行部Ｓは、上記エンドレスベルト４を支持するための複数の支持ローラＲが上記フレーム本体２に所定間隔で回転自在に支持されるとともに、上記フレーム本体２の後方には、歩行または走行移動時に使用者１０の背中を支える背当部６及び使用者の腰部後面ないし側面を支える腰当部８を備えた補助装置が一体的に設けられ、上記背当部６は、上記フレーム本体２の両側面に立設した一対の支柱５ａ，５ｂの上部に高さ調整可能に取付けられたホルダ２２と、該ホルダ２２に所定角度の範囲で上下に揺動可能に支持軸に支持されたブラケット２４と、該ブラケット２４の上下に上記ベルト４の移動方向と直交する水平方向に回転自在に近接支持された2本の弾性ローラ２５ａ，２５ｂとから成り、上記腰当部８は、後端側が支柱５ａ，５ｂの高さ方向略中間部位に高さ調整可能に取付けられるとともに、上記使用者１０の前方側を向く先端側が上記フレーム本体２の幅方向に拡開するように水平面上で揺動可能に取付けられた一対の腰当フレーム４２ａ，４２ｂを備えて成り、上記腰当部８は、後端側が少なくとも上記使用者１０の腰部幅より狭い間隔になるよう構成されるとともに、上記先端側が上記使用者１０の腰部幅より広くなるように構成されることを特徴とする補助装置を備えたルームランナーである。
上記の補助装置を備えたルームランナー１によれば、ルームランナー１の使用者１０は、歩行または走行時に当該使用者１０の背中が背当部６で支えられるとともに、使用者１０の腰部後面ないし側面が使用者１０の腰部幅より狭い間隔となる腰当部８により支えられ、両手で身体を支持せずに所定速度で移動するエンドレスベルト４の上面を歩行または走行される。
【００１０】
本考案の請求項２に記載の補助装置を備えたルームランナー１は、上記背当部６が、上記2本の弾性ローラ２５ａ，２５ｂを支持するブラケット２４が、上記ホルダ２２に対し上下に揺動する揺動端において衝撃を緩衝する衝撃緩衝手段３５を有していることを特徴とする補助装置を備えたルームランナー１である。
上記の補助装置を備えたルームランナー１によれば、使用者１０がエンドレスベルト４の上面を歩行または走行する際に、上下動する背中を支える背当部６が、湾曲した背中の上下動に追従して上下に揺動するので背中が常に2本の弾性ローラ２５ａ，２５ｂで支持され、上下に揺動する揺動端では衝撃緩衝手段３５により衝撃が緩衝される。
【００１１】
本考案の請求項３に記載の補助装置を備えたルームランナー１は、上記背当部６は、上記ブラケット２４が、上記ホルダ２２に対し上記使用者１０の前方側に向けて前後に移動可能に支持され、且つ上下に揺動する揺動角度が、上記ブラケット２４の前後位置における下面と対面する上記ホルダ２２の当接面との当接により調整可能に支持されていることを特徴とする補助装置を備えたルームランナーである。
上記の補助装置を備えたルームランナー１によれば、2本の弾性ローラ２５ａ，２５ｂを支持するブラケット２４の前後位置を調整することで、上記ブラケット２４の下面と対面するホルダ２２の当接面と当接する間隔が変化し、ブラケット２４の上下に揺動する揺動角度が設定される。
【００１２】
本考案の請求項４に記載の補助装置を備えたルームランナー１は、上記フレーム本体２の前端側には一対の支柱１２ａ，１２ｂが立設保持されており、該支柱１２ａ，１２ｂの上部に支持台１４及び引出し１６付き支持台１５が使用者の略腹部前方に対向するように取付けられ、所定間隔をもって上下に調整可能に配置されていることを特徴とする補助装置を備えたルームランナー１である。
上記の補助装置を備えたルームランナー１によれば、使用者の略腹部前方に対向するように所定間隔をもって支柱に取付けられた支持台１４及び引出し１６付き支持台１５上に書籍やパソコンなどが載置される。
【考案の効果】
【００１３】
本考案は以下の効果を奏する。
【００１４】
請求項１に記載の考案によれば、ルームランナーの使用者は、背中が背当部で支えられるとともに、その腰部後面ないし側面が使用者の腰部幅より狭い間隔となる腰当部により支えられるので、使用者の両手で身体を支持せずに所定速度で移動するエンドレスベルトの上面を安全に歩行または走行することができ、歩行または走行時には、所定間隔で回転自在に支持された複数の支持ローラ上で足裏面を刺激することができる。
【００１５】
請求項２に記載の考案によれば、使用者がエンドレスベルトの上面を歩行または走行する際に、湾曲した背中の上下動に追従して上下に揺動するので使用者の背中を常に2本の弾性ローラで支持することができ、上下に揺動する揺動端では衝撃緩衝手段により衝撃を緩衝することができる。
【００１６】
請求項３に記載の考案によれば、ブラケットの上下に揺動する揺動角度が調整可能となっているので、使用者の体形や背中の湾曲度合にかかわらず使用者の背中を2本の弾性ローラで支持することができる。
【００１７】
請求項４に記載の考案によれば、エンドレスベルトの上面を歩行または走行する使用者は、その略腹部前方に対向配置された支持台及び引出し付き支持台上の書籍やパソコンなどを両手で使用することができる。
【考案を実施するための最良の形態】
【００１８】
本考案の実施例を以下に説明する。
【実施例１】
【００１９】
図１〜図３には、補助装置を備えたルームランナー及び補助装置が示されている。図１は、本考案に係る補助装置を備えたルームランナーの実施例を示す全体斜視図、図２は上記実施例の補助装置である背当部の分解組立斜視図、図３は上記実施例の補助装置である腰当部の斜視図である。
【００２０】
図１に示すように、ルームランナー１は、平面視後方側が開放するコ字形のフレーム本体２と、左右のサイドフレーム２ａ，２ｂに回転自在に支持されて当該フレーム本体２の縦方向に所定間隔で配置された複数の支持ローラＲと、フレーム本体２の前方に支持されて電動モータにより駆動される駆動ローラ（不図示）と、フレーム本体２の後端に回転自在に支持された前後移動可能な従動ローラＲ１に巻回されて複数の支持ローラＲ上を所定の移動速度で前方に走行するゴム製のエンドレスベルト４により構成されている。
【００２１】
尚、ゴム製のエンドレスベルト４の上面には、柔らかいスポンジまたはウレタンゴム等が貼着されており、素足でも感触が良く滑ることなくジョギングや散歩ができ、複数の支持ローラＲによって足裏マッサージ効果を得ることができる。
【００２２】
複数の支持ローラＲは、使用者１０が歩行または走行する際にエンドレスベルト４上に載る領域となるベルト走行部Ｓに配置されており、支持ローラＲの間隔は使用者の体重や足の大きさによって適宜変更することも可能である。
【００２３】
このように、ベルト走行部Ｓは複数の支持ローラＲによってエンドレスベルト４を支持しているので、従来のように支持板上をエンドレスベルト４が走行する方式に比較して、支持板とエンドレスベルト４との摩擦が低減するので、摩擦熱の発生が軽減されると共にモータに作用する負荷が軽減されるため、長時間の運転が可能となり使用者の許容体重を増やすことも可能となる。
【００２４】
次に、ルームランナー１に備えられた補助装置に付き図２、図３を参照して説明する。
【００２５】
補助装置は、上記フレーム本体２の後方にあって、歩行または走行移動時に使用者１０の背中を支える背当部６と、使用者の腰部後面ないし側面を支える腰当部８とから主に構成されており、これらは上記フレーム本体２に一体的に設けられている。
【００２６】
更に他の補助装置として上記フレーム本体２の前方に、使用者の比較的低い略腹部前方側に対向して棚部Ｔが配置されると共に、フレーム本体２の側面にもベルト速度の設定操作部や使用時間の表示部を設けた操作パネル２０が配置されている。尚、本実施例において操作パネル２０は、使用者１０の右側に配置されているが左側に配置することも可能であり、左利きの使用者でも対応できるようになっている。
【００２７】
先ず、背当部６は、図２に示すように上記フレーム本体２の両側面に立設した一対の支柱５ａ，５ｂの上端に高さ調整可能に取付けられた平面視コ字形に形成されたホルダ２２と、このホルダ２２に所定角度の範囲で上下に揺動可能に支持軸に支持されたブラケット２４と、このブラケット２４の上下に上記エンドレスベルト４の移動方向と直交する水平方向に回転自在に近接支持された2本の弾性ローラ２５ａ，２５ｂとから構成されている。
【００２８】
詳しくは、上記ホルダ２２は、一対の支柱５ａ，５ｂ上端に取付けられた上部支持具Ｈに着脱可能に取付けられており、この上部支持具Ｈは、一対の支柱５ａ，５ｂ上端の開口端部に差込み可能な差込み部を垂直管の下端部に形成すると共にこの垂直管を水平に折曲した水平管により形成される一対の支持フレーム２８ａ，２８ｂと、これら支持フレーム２８ａ，２８ｂの上記水平管の対向する端部に直交するように接合されて前方に向けて延設する支持アーム３０ａ，３０ｂとから構成されている。
【００２９】
ホルダ２２は、鋼鈑を折曲して底板２６ｃの両側から前方に突設する側板２６ａ，２６ｂを形成して、これら側板２６ａ，２６ｂの中央に前後に延びる一対の水平な長孔２７を形成すると共に底板２６ｃの裏面には補強板３６が接合されている。
【００３０】
そして、支柱５ａ，５ｂの上端に差込まれた支持フレーム２８ａ，２８ｂ下端部、ないしホルダ２２底板２６ｃの補強板３６は、一対の支柱５ａ，５ｂの上端、及び上部支持具Ｈの支持アーム３０ａ，３０ｂ先端に、取付けネジＬを介してそれぞれ取付けられている。
【００３１】
また、ブラケット２４は、2本の弾性ローラ２５ａ，２５ｂを支持すべく底板３４の両側にローラ支持部３２ａ，３２ｂを前方に突設すると共に、両ローラ支持部３２ａ，３２ｂの側面には先端外周にネジを螺設した一対の支持軸３８が突設し、底板３４裏面には衝撃緩衝手段としての平板状のスポンジゴム３５が貼着されている。
【００３２】
そこで、底板３４裏面にスポンジゴム３５を貼着したブラケット２４を、コ字形に形成されたホルダ２２の両側板２６ａ，２６ｂの内側に内装した状態で一対の支持軸３８を水平な長孔２７に挿入して支持軸３８先端に図示しない皿座金を介してナットを螺着する。
【００３３】
これにより、ブラケット２４は、長孔２７の所定高さ位置に支持軸３８を介して上下方向に揺動可能に支持される。ブラケット２４の揺動範囲は、底板３４裏面の上下側端部がホルダ２２の底板２６ｃ内面に当接した位置で決められるが、長孔２７における支持軸３８の高さ位置の調整によって揺動範囲は変更することができる。
【００３４】
ブラケット２４の底板３４裏面には、スポンジゴム３５が貼着されているので、上下に揺動する揺動端においてホルダ２２の底板２６ｃ内面に当接した際の衝撃は、スポンジゴム３５により緩和される。
【００３５】
尚、衝撃緩衝手段としては、スポンジゴム３５に限らず弾性体としてコイルばねや板ばねなどを利用しても良いことは勿論である。
【００３６】
次に、腰当部８は、図３に示すように上記フレーム本体２の両側面に立設した一対の支柱５ａ，５ｂの高さ方向略中間部位に一対の腰当フレーム４２ａ，４２ｂが取付けられている。
【００３７】
これら腰当フレーム４２ａ，４２ｂは、後端側が一対の支柱５ａ，５ｂに高さ調整可能に取付けられるとともに、上記使用者１０の前方側を向く先端側が上記フレーム本体２の幅方向に拡開するように水平面上で揺動可能に構成されている。
【００３８】
更に、これら腰当フレーム４２ａ，４２ｂは、後端側が少なくとも上記使用者の腰部幅より狭い間隔Ｗになるよう構成されるとともに、上記先端側が上記使用者１０の腰部幅より広い幅Ｗ１になる揺動角度θまで水平方向に拡開揺動されている。
【００３９】
詳しくは、腰当フレーム４２ａ，４２ｂは、管体をコ字形に折曲形成した後端側が縦長の揺動軸４４ａ，４４ｂに接合されており、揺動軸４４ａ，４４ｂ下方の側面には、外方に突設する一対の支持アーム４６，４８が上下に配置され、これら支持アーム４６，４８の先端は、両支柱５ａ，５ｂに揺動可能に挿嵌されて取付けネジＬを介してそれぞれ取付けられている。
【００４０】
従って、腰当フレーム４２ａ，４２ｂ後端側の間隔Ｗは、使用者１０の腰幅より狭く形成されており、使用者１０が、拡開揺動した腰当フレーム４２ａ，４２ｂの先端側間に腰部を挟んだ状態で後方（矢印方向）に移動すると、上記使用者の腰部後面ないし両側面が狭い間隔Ｗとなった腰当フレーム４２ａ，４２ｂの後端側に支えることができるようになっている。
【００４１】
尚、腰当フレーム４２ａ，４２ｂは、一対の支柱５ａ，５ｂに高さ調整可能に取付けられているので、使用者１０の体格に応じて上下に移動して適切な位置に設置することができる。
【００４２】
一方、上記フレーム本体２の前方には、他の補助装置となる棚部Ｔが配置されており、この棚部Ｔは、フレーム本体２の前端側に立設保持された一対の支柱１２ａ，１２ｂの上部に取付けられた支持台としてのテーブル１４と、このテーブル１４下面に所定間隔をもって調整可能に取付けられた引出し１６付き支持台（テーブル１５）が使用者１０の略腹部前方に対向するように設けられている。
【００４３】
上記のテーブル１４や引出し１６付きテーブル１５上には、パソコンや書籍類を適宜載置することができ、引出し１６内には筆記具やメモなどの小物の文具類や眼鏡などを収納することができるようになっている。
【００４４】
また、エンドレスベルト４上で歩行または走行する使用者１０の側面には、操作パネル２０がフレーム本体２の片側側面に立設した支柱１８の上端に取付けられており、この操作パネル２０には、エンドレスベルト４の速度を設定する設定操作部や、使用時間を表示する表示部が設けられている。
【００４５】
次に、上記ルームランナーの使用例に付き説明する。
【００４６】
ルームランナー１の腰当部８である腰当フレーム４２ａ，４２ｂの前方側を向く先端側を大きく開放して、腰当フレーム４２ａ，４２ｂの内側に使用者１０が入った状態で、使用者１０の両足をルームランナー１の左右のサイドフレーム２ａ，２ｂ上に載せて、拡開している両腰当フレーム４２ａ，４２ｂを内側に揺動させて使用者１０の腰部両側に接近させる。
【００４７】
次に、使用者１０は、操作パネル２０の起動ボタンを押し、操作ボタンを操作してエンドレスベルト４のベルト速度を例えば歩行モードに設定し、走行するエンドレスベルト４上に両足を乗せて歩行を開始する。
【００４８】
この時、使用者１０の身体は、エンドレスベルト４の走行により後方へ移動するので、使用者１０の腰部が左右に拡開している前方側から次第に狭くなる間隔Ｗ間に移動して、両腰当フレーム４２ａ，４２ｂ間の内側で支持される。
【００４９】
同様にして、使用者１０の背中は、背当部６のブラケット２４の上下に回転自在に近接支持された2本の弾性ローラ２５ａ，２５ｂに当接して支持され、これら弾性ローラ２５ａ，２５ｂは、支持軸３８を中心として上下に揺動するので、歩行移動する使用者１０の背中は、歩行時に上下動しても湾曲した背中の上下動に追従して支持することができる。
【００５０】
以上のような実施形態によれば、次のような効果が得られる。
（１）ルームランナー１の使用者１０は、背中が背当部６で支えられるとともに、その腰部の後面ないし側面が、使用者１０の腰部幅より狭い間隔Ｗとなる腰当部８により支えられるので、使用者１０の両手で身体を支持せずに所定速度で移動するエンドレスベルト４の上面を安全に歩行または走行することができ、歩行または走行時には、所定間隔で回転自在に支持された複数の支持ローラＲ上で足裏面を刺激することができる。
（２）使用者１０が、エンドレスベルト４の上面を歩行または走行する際に、2本の弾性ローラ２５ａ，２５ｂが湾曲した背中の上下動に追従して上下に揺動するので使用者１０の背中を常に2本の弾性ローラ２５ａ，２５ｂで支持することができ、上下に揺動する揺動端では衝撃緩衝手段としてのスポンジゴム３５により衝撃を緩衝することができる。
【００５１】
次に、上記実施例で述べたルームランナーの変形例に付き図４を参照して説明する。図４はルームランナーの変形例に係る補助装置を備えたルームランナーの全体斜視図である。
尚、上記実施例の構成部分と同一構成部分に付いては同一符号を付してその説明を省略する。
【００５２】
この変形例におけるルームランナー及び補助装置の構成ならびに作用、効果は、上記実施例に対し基本的には同一であるがエンドレスベルトの構成が異なるものである。
【００５３】
すなわち、本変形例のエンドレスベルト５０は、走行面はカーペット地となる織布で構成されて複数の貫通孔５２が整列形成されてベルトが使用されている。
【００５４】
従って、この変形例によれば、複数の貫通孔５２が整列形成されたエンドレスベルト５０を使用することで、電動モータや駆動ローラから発生する熱が複数の貫通孔５２から逃げるので、熱がフレーム本体２内部に篭ることがなく、電動モータの発熱が抑制され、ベルトの延びも抑制される。
【００５５】
また、上記実施例では、腰当フレーム４２ａ，４２ｂの後端側が縦長の揺動軸４４ａ，４４ｂに接合されているが、この腰当フレーム４２ａ，４２ｂの後端側を更に後方に延長させても良く、又は後端側を内側に湾曲させて伸長することも可能である。これにより、後端側の間隔Ｗより細い体形の使用者や子供などでも腰部を支持することができる。
【図面の簡単な説明】
【００５６】
【図１】本考案に係る補助装置を備えたルームランナーの実施例を示す全体斜視図である。
【図２】上記実施例の補助装置である背当部の分解組立斜視図である。
【図３】上記実施例の補助装置である腰当部の斜視図である。
【図４】ルームランナーの変形例に係る補助装置を備えたルームランナーの全体斜視図である。
【符号の説明】
【００５７】
１              ルームランナー
２              フレーム本体
２ａ，２ｂ      サイドフレーム
４              エンドレスベルト
５ａ，５ｂ      支柱
６              背当部
８              腰当部
１０            使用者
１２ａ，１２ｂ  支柱
１４，１５      テーブル（支持台）
１６            引出し
１８            支柱
２０            操作パネル
２２            ホルダ
２４            ブラケット
２５ａ，２５ｂ  弾性ローラ
２６ａ，２６ｂ  側板
２６ｃ          底板
２７            長孔
２８ａ，２８ｂ  支持フレーム
３０ａ，３０ｂ  支持アーム
３２ａ，３２ｂ  ローラ支持部
３４            底板
３５            スポンジゴム（衝撃緩衝手段）
３６            補強板
３８            支持軸
４２ａ，４２ｂ  腰当フレーム
４４ａ，４４ｂ  揺動軸
４６，４８      支持アーム
５０            エンドレスベルト
５２            貫通孔
Ｈ              上部支持具
Ｌ              取付けネジ
Ｒ              支持ローラ
Ｒ１            従動ローラ
Ｓ              ベルト走行部
Ｔ              棚部
【図１】
0003114230.tif 000003
【図２】
0003114230.tif 000004
【図３】
0003114230.tif 000005
【図４】
0003114230.tif 000006